(57)【要約】      （修正有）【課題】照明付きの反射型の表示装置においてＦＰＣの増加を抑える。【解決手段】端子Ｔ１と、端子Ｔ１に電気的に接続された中継配線１０２と、液晶素子ＬＣとを有し、液晶素子ＬＣの光透過率を制御して階調を表示する表示体１００と、陽極１１２及び陰極１１４を含み、陽極１１２と陰極１１４との間に供給される電源を用いて発光する発光素子Ｐ１と、陽極１１２と電気的に接続された接続部Ｃ１と、陰極と電気的に接続された接続部とを有し、発光素子Ｐ１を発光させて液晶素子ＬＣを照らす照明体１１０と、中継配線１０２と接続部Ｃ１とを電気的に接続する導電体１２０と、他方の中継配線と陰極と電気的に接続された接続部とを電気的に接続する導電体とを備える。【選択図】図２
2010210983.tif 000002
【特許請求の範囲】
【請求項１】
第１電極及び第２電極を含み、前記第１電極と前記第２電極との間に供給される電源を用いて発光する発光素子と、前記第１電極と前記第２電極のうち少なくとも一方と電気的に接続された接続部とを有する照明体と、
端子と、前記端子に電気的に接続された中継配線と、供給される電気エネルギーに応じて前記照明体からの光を制御する電気光学素子とを有する表示体と、
前記中継配線と前記接続部とを電気的に接続する導電体と
を備える表示装置。
【請求項２】
前記照明体は、前記発光素子と前記接続部とが形成された照明基板を有し、
前記接続部と前記中継配線との間に前記照明基板が介在している、
ことを特徴とする請求項１に記載の表示装置。
【請求項３】
前記照明体は、前記発光素子と前記接続部とが形成された照明基板を有し、
前記表示体は、前記電気光学素子と前記中継配線と前記端子とが形成された表示基板を有し、
前記接続部は、前記照明基板の前記表示体側に位置し、
前記中継配線は、前記表示基板の前記照明体側に位置し、
前記接続部および前記中継配線は、前記導電体を挟んで互いに対向している、
ことを特徴とする請求項１に記載の表示装置。
【請求項４】
前記導電体を複数備え、
前記照明体は、前記発光素子と前記接続部とが形成された照明基板を有し、
前記照明基板は、複数の端辺を有し、
前記接続部は、一つの第１接続部と、前記第１接続部と異なる一つの第２接続部とを含み、
前記第１接続部は、前記複数の端辺のうちのいずれか一つの端辺を跨ぐ一つの前記導電体を介して前記中継配線と電気的に接続され、
前記第２接続部は、前記複数の端辺のうちの前記一つの端辺とは異なる一つの端辺を跨ぐ一つの前記導電体を介して前記中継配線と電気的に接続されている、
ことを特徴とする請求項１に記載の表示装置。
【請求項５】
前記表示体は、前記電気光学素子を複数備えるとともに、前記複数の電気光学素子に共通する共通電極を備え、
前記中継配線は、前記共通電極と電気的に接続されており、前記電気光学素子への電源の供給にも用いられる、
ことを特徴とする請求項１乃至４のいずれか一項に記載の表示装置。
【請求項６】
前記表示体は、前記電気光学素子に供給する電気エネルギーを制御する制御回路を有し、
前記中継配線は、前記制御回路と電気的に接続されており、前記制御回路への電源の供給にも用いられる、
ことを特徴とする請求項１乃至４のいずれか一項に記載の表示装置。
【請求項７】
前記導電体は銀で形成されている、
ことを特徴とする請求項１乃至６のいずれか一項に記載の表示装置。
【請求項８】
請求項１乃至７のいずれか一項に記載の表示装置を備える電子機器。
【請求項９】
第１電極及び第２電極を含み、前記第１電極と前記第２電極との間に供給される電源を用いて発光する発光素子と、前記第１電極と前記第２電極のうち少なくとも一方と電気的に接続された接続部とが照明基板上に形成された照明体と、
端子と、前記端子に電気的に接続された中継配線と、供給される電気エネルギーに応じて前記照明体からの光を制御する電気光学素子とを有する表示体と、  前記中継配線と前記接続部とを電気的に接続する導電体と
を備える表示装置の製造方法であって、
前記中継配線が露出するように前記表示体を製造する一方、前記接続部が露出するように前記照明体を製造する第１工程と、
前記接続部と前記中継配線との間に前記照明基板が介在しているように、前記表示体と前記照明体とを貼り合わせる第２工程と、
前記第２工程の後に、前記中継配線と前記接続部とを、導電ペーストを用いて接続する第３工程と、
前記導電ペーストを固化させて前記導電体を形成する第４工程と
を有することを特徴とする表示装置の製造方法。
【請求項１０】
電源電極を含み、前記電源電極へ供給される電源を用いて発光する発光素子と、前記電源電極と電気的に接続された接続部とが照明基板に形成された、照明体と、
端子と、前記端子に電気的に接続された中継配線と、供給される電気エネルギーに応じて前記照明体からの光を制御する電気光学素子とが表示基板に形成された表示体と、
前記中継配線と前記接続部とを電気的に接続する導電体とを備える表示装置の製造方法であって、
前記中継配線が露出するように前記表示体を製造する一方、前記接続部が露出するように前記照明体を製造する第５工程と、
前記中継配線または前記接続部に導電ペーストを塗布する第６工程と、
前記接続部が前記照明基板の前記表示体側に位置し、前記中継配線が前記表示基板の前記照明体側に位置し、前記接続部と前記中継配線とが前記導電ペーストを挟んで互いに対向するように、前記表示体と前記照明体とを貼り合わせる第７工程と、
前記導電ペーストを固化させて前記導電体を形成する第８工程と
を有することを特徴とする表示装置の製造方法。
【発明の詳細な説明】
【技術分野】
【０００１】
本発明は、照明付きの反射型の表示装置とその製造方法と電子機器に関する。
【背景技術】
【０００２】
特許文献１には、反射型の表示体（反射型液晶表示装置）を照明体（照明装置）で照らす構成の表示装置、すなわち照明付きの反射型表示装置が開示されている。また、特許文献２には、照明付きの反射型表示装置が備える照明体（照明装置）が開示されている。そして、これらの文献には、照明体の光源として有機ＥＬ（エレクトロルミネッセント）素子を用いることが記載されている。なお、照明付きの反射型表示装置によれば、反射型の表示体を照明体で照らすことができるから、暗所でも階調を表示可能である。
【先行技術文献】
【特許文献】
【０００３】
【特許文献１】特開２００６−３２３３０４号公報（図２）
【特許文献２】特開２００８−２１８１７５号公報（図１０）
【発明の概要】
【発明が解決しようとする課題】
【０００４】
ところで、特許文献１および２には、照明付きの反射型表示装置への電源の供給方法が開示されていない。この供給方法としては、二つのＦＰＣを用いて表示体および照明体に別々に電源を供給する方法が考えられる。具体的には、反射型液晶表示装置などの表示体には表示体に接続された第１のＦＰＣ（フレキシブルプリント基板）を用いて電源を供給し、有機ＥＬ素子を備える有機ＥＬ装置などの照明体には照明体に接続された第２のＦＰＣを用いて電源を供給する。しかし、この方法を採る照明付きの反射型表示装置は、照明無しの反射型表示装置に比較して、より多くのＦＰＣを実装せねばならない。これは、製造コストの増大やＦＰＣを含めた装置の大型化を招く要因となる。
【０００５】
本発明は、このような事情に鑑みてなされたものであり、ＦＰＣの増加を抑えることができる照明付きの反射型の表示装置とその製造方法と電子機器とを提供することを解決課題としている。
【課題を解決するための手段】
【０００６】
この課題を解決するために、本発明は、
第１電極及び第２電極を含み、前記第１電極と前記第２電極との間に供給される電源を用いて発光する発光素子と、前記第１電極と前記第２電極のうち少なくとも一方と電気的に接続された接続部とを有する照明体と、
端子と、前記端子に電気的に接続された中継配線と、供給される電気エネルギーに応じて前記照明体からの光を制御する電気光学素子とを有する表示体と、
前記中継配線と前記接続部とを電気的に接続する導電体と
を備える表示装置を提供する。
この表示装置では、照明体の第１電極と第２電極との間への電源の供給が、接続部、導電体、中継配線および端子を介して行われる。この際に用いられる端子は表示体に設けられているから、この表示装置によれば、照明体にＦＰＣを接続することなく、照明体の各電源電極へ電源を供給することができる。したがって、この表示装置によれば、ＦＰＣの増加を抑えることができる。
【０００７】
この表示装置において、前記照明体が、前記発光素子と前記接続部とが形成された照明基板を有し、前記接続部と前記中継配線との間に前記照明基板が介在しているようにしてもよい。または、前記照明体が、前記発光素子と前記接続部とが形成された照明基板を有し、前記表示体が、前記電気光学素子と前記中継配線と前記端子とが形成された表示基板を有し、前記接続部が前記照明基板の前記表示体側に位置し、前記中継配線が前記表示基板の前記照明体側に位置し、前記接続部および前記中継配線が、前記導電体を挟んで互いに対向するようにしてもよい。後者の表示装置には、照明基板を回り込むように導電体を形成する必要がないから、中継配線と接続部との接続経路の長さを短縮可能という利点がある。
【０００８】
あるいは、前記導電体を複数備え、前記照明体は、前記発光素子と前記接続部とが形成された照明基板を有し、前記照明基板は、複数の端辺を有し、前記接続部は、一つの第１接続部と、前記第１接続部と異なる一つの第２接続部とを含み、前記第１接続部は、前記複数の端辺のうちのいずれか一つの端辺を跨ぐ一つの前記導電体を介して前記中継配線と電気的に接続され、前記第２接続部は、前記複数の端辺のうちの前記一つの端辺とは異なる一つの端辺を跨ぐ一つの前記導電体を介して前記中継配線と電気的に接続されているようにしてもよい。照明体において電極を長く引き回す場合、電圧降下による輝度ムラが懸念されるが、この表示装置によれば、第１接続部と第２接続部との両方に電気的に接続された電極を長く引き回しても、電圧降下を抑制して上記の輝度ムラを低減することができる。
【０００９】
上記の各表示装置において、前記表示体が、前記電気光学素子を複数備えるとともに、前記複数の電気光学素子に共通する共通電極を備え、前記中継配線が、前記共通電極と電気的に接続されており、前記電気光学素子への電源の供給にも用いられるようにしてもよいし、前記表示体が、前記電気光学素子に供給する電気エネルギーを制御する制御回路を有し、前記中継配線が、前記制御回路と電気的に接続されており、前記制御回路への電源の供給にも用いられるようにしてもよい。どちらの表示装置にも、少なくとも一つの電源配線が、照明体への電源供給用の配線および表示体への電源供給用の配線として兼用され、少なくとも一つの電源が、照明体の電源および表示体の電源として兼用されるから、回路構成が簡素となるという利点がある。
【００１０】
上記の各表示装置において、前記導電体を銀で形成してもよい。この表示装置の製造工程では、広く用いられている導電ペースト（有機溶媒に銀を溶かした銀ペースト）で導電体を形成することができる。また、本発明は、上記の各表示装置を備える電子機器を提供する。
【００１１】
また、本発明は、第１電極及び第２電極を含み、前記第１電極と前記第２電極との間に供給される電源を用いて発光する発光素子と、前記第１電極と前記第２電極のうち少なくとも一方と電気的に接続された接続部とが照明基板上に形成された照明体と、端子と、前記端子に電気的に接続された中継配線と、供給される電気エネルギーに応じて前記照明体からの光を制御する電気光学素子とを有する表示体と、前記中継配線と前記接続部とを電気的に接続する導電体とを備える表示装置の製造方法であって、前記中継配線が露出するように前記表示体を製造する一方、前記接続部が露出するように前記照明体を製造する第１工程と、前記接続部と前記中継配線との間に前記照明基板が介在しているように、前記表示体と前記照明体とを貼り合わせる第２工程と、前記第２工程の後に、前記中継配線と前記接続部とを、導電ペーストを用いて接続する第３工程と、前記導電ペーストを固化させて前記導電体を形成する第４工程とを有することを特徴とする表示装置の製造方法を提供する。
【００１２】
また、本発明は、電源電極を含み、前記電源電極へ供給される電源を用いて発光する発光素子と、前記電源電極と電気的に接続された接続部とが照明基板に形成された、照明体と、端子と、前記端子に電気的に接続された中継配線と、供給される電気エネルギーに応じて前記照明体からの光を制御する電気光学素子とが表示基板に形成された表示体と、前記中継配線と前記接続部とを電気的に接続する導電体とを備える表示装置の製造方法であって、前記中継配線が露出するように前記表示体を製造する一方、前記接続部が露出するように前記照明体を製造する第５工程と、前記中継配線または前記接続部に導電ペーストを塗布する第６工程と、前記接続部が前記照明基板の前記表示体側に位置し、前記中継配線が前記表示基板の前記照明体側に位置し、前記接続部と前記中継配線とが前記導電ペーストを挟んで互いに対向するように、前記表示体と前記照明体とを貼り合わせる第７工程と、前記導電ペーストを固化させて前記導電体を形成する第８工程とを有することを特徴とする表示装置の製造方法を提供する。
上記の各製造方法によれば、複数の導電体を一斉に形成可能である。なお、導電ペーストとしては銀ペーストを例示可能である。
【図面の簡単な説明】
【００１３】
【図１】本発明の第１実施形態に係る表示装置１０の平面図である。
【図２】図１のＡ−Ａ´断面図である。
【図３】図１のＢ−Ｂ´断面図である。
【図４】表示装置１０に含まれる表示体１００の液晶素子ＬＣの構造を示す断面図である。
【図５】表示装置１０に含まれる照明体１１０の一部の構造例ａ、ｂ及びｃを示す断面図である。
【図６】表示装置１０の製造方法を示す断面図であり、（ａ）は第１工程を示し、（ｂ）は第２工程を示し、（ｃ）は第３工程を示す。
【図７】本発明の第２実施形態に係る表示装置２０の平面図である。
【図８】図６のＣ−Ｃ´断面図である。
【図９】図６のＤ−Ｄ´断面図である。
【図１０】本発明の第３実施形態に係る表示装置３０の平面図である。
【図１１】図１０のＥ−Ｅ´断面図である。
【図１２】図１０のＦ−Ｆ´断面図である。
【図１３】表示装置３０の製造方法を示す断面図であり、（ａ）は第５工程を示し、（ｂ）は第６工程を示し、（ｃ）は第７工程を示す。
【図１４】本発明の第４実施形態に係る表示装置４０の断面図である。
【図１５】本発明の第５実施形態に係る表示装置５０の平面図である。
【図１６】図１５のＧ−Ｇ´断面図である。
【図１７】本発明に係る電子機器の具体例を示す斜視図である。
【図１８】本発明に係る電子機器の別の具体例を示す斜視図である。
【図１９】本発明に係る電子機器のさらに別の具体例を示す斜視図である。
【発明を実施するための形態】
【００１４】
図面を参照しながら本発明の実施の形態を説明する。ただし、各図面においては、各部の寸法の比率が実際のものとは適宜に相違している。また、本発明は、以下に述べる各実施形態に限定されるものではなく、各実施形態を変形して得られる各種の変形例や、各実施形態またはその変形例を応用して得られる形態をも技術的範囲に含みうる。なお、各図において共通する部分には同一の符号が付されている。
【００１５】
＜第１実施形態＞
図１は本発明の第１実施形態に係る表示装置１０の平面図であり、図２は図１のＡ−Ａ´断面図であり、図３は図１のＢ−Ｂ´断面図である。これらの図に示すように、表示装置１０は、反射光を用いて画像を表示する反射型の表示体１００と、表示体１００を照らす照明体１１０と、表示体１００と照明体１１０との間に架け渡された導電体１２０及び１２１と、表示体１００に接続されたＦＰＣ１３０とを備える。
【００１６】
表示体１００は、反射型液晶表示装置であり、表示基板１０１と、表示基板１０１上に形成された複数の液晶素子（電気光学素子）ＬＣと、液晶素子ＬＣ毎に設けられ、対応する液晶素子ＬＣに供給する電気エネルギーを制御することによって当該液晶素子ＬＣを駆動する制御回路（図示略）とを有する。液晶素子ＬＣは、供給される電圧に応じて入射光を制御する電気光学素子である。これらの液晶素子ＬＣは、表示基板１０１上に平面的に配置されており、表示体１００は、各液晶素子ＬＣへ供給する電圧を制御して各液晶素子ＬＣの光透過率を制御することによって各液晶素子ＬＣに階調を表示させる。
【００１７】
図４は液晶素子ＬＣの構造を示す図である。この図に示すように、液晶素子ＬＣと表示基板１０１との間には、表示基板１０１上に形成された光反射性の反射層１０９が介在している。液晶素子ＬＣは、反射層１０９上に形成された光透過性の画素電極１０８と、画素電極１０８上に形成された光透過性の共通電極１０４と、画素電極１０８と共通電極１０４との間に挟持された液晶１０５とを有する。共通電極１０４は、総ての液晶素子ＬＣに共通の電極である。
【００１８】
液晶１０５の厚み方向における光透過率は、共通電極１０４と画素電極１０８との間の電圧に応じて変化する。この光透過率が十分に高い場合、図中上方から共通電極１０４へ入射した光は、共通電極１０４、液晶１０５及び画素電極１０８を透過し、反射層１０９で反射される。この反射光は、画素電極１０８、液晶１０５及び共通電極１０４を透過して進行する。
【００１９】
照明体１１０は、光透過性の照明基板１１１と、照明基板１１１上に形成された複数の発光素子Ｐ１とを有する。これらの発光素子Ｐ１は、発光基板１１１上に平面的に配置されており、各発光素子Ｐ１の発光のうち、大部分の光は、表示体１００側（図２及び図３の下方）へ進行する。なお、表示体１００及び照明体１１０は、総ての発光素子Ｐ１が配置された平面領域が、総ての液晶素子ＬＣが配置された平面領域を覆うように貼り合わされている。
【００２０】
発光素子Ｐ１は、有機ＥＬ素子であり、図２及び図３に示すように、照明基板１１１上に形成された光透過性の陽極（電源電極）１１２と、陽極１１２上に形成された光透過性の陰極（電源電極）１１４と、陽極１１２と陰極１１４との間に挟持された発光層１１５とを含む。陽極１１２及び陰極１１４には、互いに異なる電源電位が供給される。発光層１１５は、有機ＥＬ材料で形成され、駆動電流に応じた輝度で発光する。つまり、各発光素子は、陽極１１２と陰極１１４との間に供給される電源を用いて発光する。なお、発光層１１５が有機ＥＬ材料で形成された層以外の層を含むようにしてもよい。
【００２１】
また、図２及び図３に示すように、照明体１１０は、照明基板１１１上に形成された、接続部Ｃ１、接続部Ｃ２、陽極配線１１６及び陰極配線１１７を有する。陽極配線１１６は接続部Ｃ１と各陽極１１２とを電気的に接続し、陰極配線１１７は接続部Ｃ２と各陰極１１４とを電気的に接続している。一方、表示体１００は、表示基板１０１上に形成された、端子Ｔ１、端子Ｔ２、中継配線１０２及び中継配線１０３を有する。端子Ｔ１と中継配線１０２とは電気的に接続されており、端子Ｔ２と中継配線１０３とは電気的に接続されている。
【００２２】
導電体１２０及び１２１は、いずれも銀で形成されている。導電体１２０は接続部Ｃ１と中継配線１０２とを電気的に接続し、導電体１２１は接続部Ｃ２と中継配線１０３とを電気的に接続している。表示体１００及び照明体１１０は、接続部Ｃ１と中継配線１０２との間に照明基板１１１が介在し、接続部Ｃ２と中継配線１０３との間に照明基板１１１が介在するように互いに貼り付けられているから、導電体１２０及び１２１の形状は、図２及び図３に示すように、照明基板１１１の端を回り込む形状となっている。また、ＦＰＣ１３０は、端子Ｔ１に接触している端子１３１と、端子Ｔ２に接触している端子１３２とを有する。つまり、端子１３１は陽極１１２と電気的に接続されており、端子１３２は陰極１１４と電気的に接続されている。
【００２３】
なお、表示体１００は、カラー画像を表示するものであり、図２及び図３に示すように、共通電極１０４上にＣＦ（カラーフィルター）基板１０６を有し、ＣＦ基板１０６上に偏光板１０７を有する。一方、照明体１１０は、複数の発光素子Ｐ１上に、各発光素子Ｐ１が水分、酸素等により劣化するのを防止する為の光透過性の封止基板１１３を有する。封止基板１１３は例えばガラスで形成される。そして、表示体１００と照明体１１０との貼り合わせは、偏光板１０７と照明基板１１１との接着によって達成されている。
【００２４】
図５は、照明体１１０の一部の構造例ａ、ｂ及びｃを示す断面図である。この図に示すように、照明体１１０は、詳細には、複数の発光素子Ｐ１の上に反射層１１８を有し、反射層１１８と封止基板１１３との間にブラックマトリクス１１９を有する。反射層１１８及びブラックマトリクス１１９の配置には様々なバリエーションがある。例えば、構成例ａのように、発光素子Ｐ１と反射層１１８とを密着させ、反射層１１８と封止基板１１３とを密着させてもよい。また例えば、構成例ｂのように、発光素子Ｐ１と反射層１１８との間に他の層を挟ませ、反射層１１８と封止基板１１３とを密着させてもよい。また例えば、構成例ｃのように、発光素子Ｐ１と反射層１１８とを密着させ、反射層１１８と封止基板１１３との間に他の層を挟ませてもよい。
【００２５】
以上説明したように、表示装置１０によれば、ＦＰＣ１３０の端子１３１は照明体１１０の陽極１１２と電気的に接続されており、ＦＰＣ１３０の端子１３２は照明体１１０の陰極１１４と電気的に接続されているから、端子１３１から陽極１１２用の電源電位を供給し、端子１３２から陰極１１４用の電源電位を供給することにより、各発光素子Ｐ１を発光させること、すなわち表示体１００を照明体１１０で照らすことができる。なお、有機ＥＬ素子を、表示体と照明体とを貼り合わせた構成において光源として用いる場合、その陽極と陰極との間の電位差の適正範囲は、５〜１０［Ｖ］である。
【００２６】
また、表示装置１０において、中継配線１０２は、端子Ｔ１と導電体１２０とを電気的に接続するだけのために設けられ、中継配線１０３は、端子Ｔ２と導電体１２１とを電気的に接続するだけのために設けられている。つまり、中継配線１０２及び１０３は、照明体１１０への電源の供給のみに用いられる専用配線であり、その電位が変動しても、表示体１００による表示の品質に影響が及ばない。したがって、表示装置１０において、例えば、総ての発光素子Ｐ１をマトリクス駆動（例えばパッシブマトリクス駆動）する構成を採り、さらに、発光素子Ｐ１間の特性のズレを打ち消すように、照明体１１０へ供給する電源の電位を変動させるようにしても、表示品質の低下を招かずに済む。
【００２７】
図６は、表示装置１０の製造方法を示す断面図であり、（ａ）は第１工程を示し、（ｂ）は第２工程を示し、（ｃ）は第３工程を示す。これらの断面図は、図１のＡ−Ａ´線に係るものである。最初の第１工程では、中継配線１０２及び１０３と端子Ｔ１及びＴ２とが露出するように表示体１００を製造する一方、接続部Ｃ１及びＣ２が露出するように照明体１１０を製造する。次の第２工程では、表示体１００の偏光板１０７と照明体１００の照明基板１１１とを接着することにより、接続部Ｃ１と中継配線１０２との間に照明基板１１１が介在し、接続部Ｃ２と中継配線１０３との間に照明基板１１１が介在するように、表示体１００と照明体１００とを貼り合わせる。
【００２８】
次の第３工程では、導電ペーストＥＰを塗布して、中継配線１０２と接続部Ｃ１とを接続するとともに中継配線１０３と接続部Ｃ２とを接続する。導電ペーストＥＰは、有機溶媒に銀を溶かした銀ペーストである。次の第４工程では、導電ペーストＥＰを固化させる。これにより、有機溶媒が除去され、図２及び図３に示すように、導電体１２０及び１２１が一斉に形成される。最後に、表示体１００にＦＰＣ１３０を接続して、端子Ｔ１と端子１３１とを接触させるとともに端子Ｔ２と端子１３２とを接触させる。
【００２９】
こうして表示装置１０が完成する。なお、表示装置１０では、接続部Ｃ１及びＣ２は、いずれも、照明基板１１１の、表示体１００側の反対側に配置されており、中継配線１０２及び１０３は、いずれも表示基板１０１の照明体１１０側に配置されているから、上述のように、導電体１２０及び１２１を一斉に形成することができる。
【００３０】
＜第２実施形態＞
図７は本発明の第２実施形態に係る表示装置２０の平面図であり、図８は図７のＣ−Ｃ´断面図であり、図９は図７のＤ−Ｄ´断面図である。これらの図に示すように、表示装置２０は、反射光を用いて画像を表示する反射型の表示体２００と、表示体２００を照らす照明体２１０と、表示体２００と照明体２１０との間に架け渡された導電体１２０及び１２１と、表示体２００に接続されたＦＰＣ１３０とを備える。
【００３１】
表示体２００が表示体１００と異なる点は、中継配線１０２に代えて中継配線２０２を有する点と、共通電極１０４と中継配線２０２とを電気的に接続する導電体２０４及び２０５を有する点である。つまり、表示体２００では、端子Ｔ１と共通電極１０４とが電気的に接続されている。
【００３２】
照明体２１０は発光素子Ｐ２を有する。図２及び図３に示すように、発光素子Ｐ１では、照明基板１１１側から封止基板１１３側へ、陽極１１２、発光層１１５、陰極１１４の順に並んでいるが、図８及び図９に示すように、発光素子Ｐ２では、陰極１１４、発光層１１５、陽極１１２の順に並んでいる。このため、照明体２１０は、陽極配線１１６に代えて異なる形状の陽極配線２１１を有し、陰極配線１１７に代えて異なる形状の陰極配線２１２を有する。
【００３３】
以上の説明から明らかなように、表示装置２０では、ＦＰＣ１３０の端子１３１は照明体２１０の陽極１１２と電気的に接続されており、ＦＰＣ１３０の端子１３２は照明体２１０の陰極１１４と電気的に接続されている。また、表示装置２０では、端子１３１から共通電極１０４及び陽極１１２へ、共通電極１０４用の電源電位（共通電位Ｖcom）が供給される。よって、表示装置２０では、共通電位Ｖcomとの電位差が５〜１０［Ｖ］の電源電位を端子１３２から陰極１１４に供給することにより、表示体２００を照明体２１０によって適切な明るさで照らすことができる。
【００３４】
このように、表示装置２０によれば、液晶素子ＬＣへの電源の供給に用いられる中継配線２０２が、発光素子Ｐ２への電源の供給にも用いられるから、照明体２１０への電源の供給のみに用いられる専用配線の数を減らすことができるとともに、必要とする電源の数を減らすことができる。なお、本実施形態を変形し、共通電位Ｖcom以外の表示体２００の電源電位を照明体２１０の電源として兼用するようにしてもよい。兼用可能な電源電位としては、制御回路に供給されるデータ信号（デジタル信号）の高電位ＶDD（例えば５［Ｖ］）やマトリクス駆動における垂直走査信号の高電位ＶHH（例えば１５［Ｖ］）を例示可能である。
【００３５】
＜第３実施形態＞
図１０は本発明の第３実施形態に係る表示装置３０の平面図であり、図１１は図１０のＥ−Ｅ´断面図であり、図１２は図１０のＦ−Ｆ´断面図である。これらの図に示すように、表示装置３０は、表示体２００と、導電体３２０及び３２１と、ＦＰＣ１３０とを備える。導電体３２０は、導電体１２０と同様に、銀で形成され、中継配線２０２と接続部Ｃ１とを電気的に接続するものであり、導電体３２１は、導電体１２１と同様に、銀で形成され、中継配線１０３と接続部Ｃ２とを電気的に接続するものであるから、表示装置３０には、表示装置２０と同様の利点がある。
【００３６】
図１３は、表示装置３０の製造方法を示す断面図であり、（ａ）は第５工程を示し、（ｂ）は第６工程を示し、（ｃ）は第７工程を示す。これらの断面図は、図１０のＥ−Ｅ´線に係るものである。最初の第５工程では、中継配線２０２及び１０３と端子Ｔ１及びＴ２とが露出するように表示体２００を製造する一方、接続部Ｃ１及びＣ２が露出するように照明体２１０を製造する。次の第６工程では、中継配線２０２及び１０３上に、それぞれ導電ペーストＥＰを塗布する。この塗布では、表示体２００と照明体２１０とを貼り合わせたときに各導電ペーストＥＰと対応する接続部とが接触するように各導電ペーストＥＰを十分に高く盛る。
【００３７】
次の第７工程では、表示体１００の偏光板１０７と照明体１００の封止基板１１３とを接着することにより、接続部Ｃ１及びＣ２が照明基板１１１の表示体２００側に位置し、中継配線２０２及び１０３が表示基板１０１の照明体２１０側に位置し、接続部Ｃ１と中継配線２０２とが対応する導電ペーストＥＰを挟んで互いに対向し、接続部Ｃ２と中継配線１０３とが対応する導電ペーストＥＰを挟んで互いに対向するように、表示体２００と照明体２１０とを貼り合わせる。これにより、接続部Ｃ１と中継配線２０２とが電気的に接続され、接続部Ｃ２と中継配線１０３とが電気的に接続される。
【００３８】
次の第８工程では、導電ペーストＥＰを固化させて導電体３２０及び３２１を一斉に形成する。こうして表示装置３０が完成する。なお、表示装置３０では、接続部Ｃ１及びＣ２は、いずれも、照明基板１１１の、表示体２００側に配置されており、中継配線２０２及び１０３は、いずれも表示基板１０１の照明体２１０側に配置されているから、上述のように、導電体３２０及び３２１を一斉に形成することができる。
【００３９】
ところで、表示装置３０によれば、中継配線１０２と接続部Ｃ１との距離、及び中継配線１０３と接続部Ｃ２との距離を短縮可能という利点がある。典型的には、表示装置３０を変形して、図１１において接続部Ｃ１の下端が封止基板１１３の上端よりも下側に位置するようにしたり、図１２において接続部Ｃ２の下端が封止基板１１３の上端よりも下側に位置するようにしたりすることも可能である。このように、表示装置３０によれば、上記の距離を短縮可能であるから、使用する導電ペーストの量を減らすことができるともに、導電体３２０及び３２１の抵抗値を下げることができる。導電体３２０の抵抗値が下がれば、陽極１１２へ供給する電源電位を下げることができるから、本実施形態によれば、消費電力を低減することができる。
【００４０】
＜第４実施形態＞
図１４は、本発明の第４実施形態に係る表示装置４０の断面図である。表示装置４０が表示装置３０と異なる点は、表示体２００に代えて表示体４００を備える点のみであり、表示体４００が表示体２００と異なる点は、中継配線２０３に代えて中継配線４０３を有する点のみである。
【００４１】
中継配線４０３は、複数の液晶素子ＬＣを駆動する制御回路（図示略）と電気的に接続されており、この制御回路への電源電位（接地電位Ｖss）の供給に用いられる。一方、中継配線４０３は、端子Ｔ２と接続部Ｃ２とを電気的に接続しているから、陰極１１４への電源電位の供給にも用いられる。つまり、表示装置４０によれば、制御回路への電源の供給に用いられる中継配線４０３が、発光素子Ｐ２への電源の供給にも用いられるから、照明体２１０への電源の供給のみに用いられる専用配線の数を減らすことができるとともに、必要とする電源の数を減らすことができる。
【００４２】
以上の説明から明らかなように、表示装置４０では、陽極１１２に共通電位Ｖcomが供給され、陰極１１４に接地電位Ｖssが供給される。一般に、共通電位Ｖcomは７［Ｖ］であり、接地電位Ｖssは０［Ｖ］であるから、陽極１１２と陰極１１４との電位差は７［Ｖ］となり、前述の適正範囲内に収まる。したがって、表示装置４０によれば、表示体４００を照明体２１０によって適切な明るさで照らすことができる。
【００４３】
＜第５実施形態＞
図１５は、本発明の第５実施形態に係る表示装置５０の平面図であり、図１６は、図１５のＧ−Ｇ´断面図である。表示装置５０が表示装置２０と異なる点は、表示体２００に代えて表示体５００を備える点と、照明体２１０に代えて照明体５１０を備える点と、導電体５２０を新たに備える点である。
【００４４】
表示体５００が表示体２００と異なる点は、中継配線２０２に代えて中継配線５０２を有する点のみである。中継配線５０２が中継配線２０２と異なる点は長さである。図１５に示すように、中継配線５０２は、ＦＰＣ１３０の接続端近傍から照明体５１０の下を潜り抜けて延在しており、その先端は、照明基板１１１の複数の端辺のうちのＦＰＣ１３０とは反対側の端辺Ｑ１を越えた位置にある。
【００４５】
照明体５１０が照明体２１０と異なる点は、接続部Ｃ３を新たに有する点と、陽極配線２１１に代えて陽極配線５１１を有する点である。接続部Ｃ１（第１接続部）及び接続部Ｃ２が、照明基板１１１の複数の端辺のうちのＦＰＣ１３０側の端辺Ｑ２が最も近い端辺となるように配置されているのに対して、接続部Ｃ３（第２接続部）は、端辺Ｑ１が最も近い端辺となるように配置されている。陽極配線５１１は、接続部Ｃ１及びＣ３と陽極１１２とを電気的に接続している。
【００４６】
導電体５２０は、銀で形成されており、接続部Ｃ３と中継配線５０２とを電気的に接続している。つまり、陽極配線５１１は、接続部Ｃ１及び導電体１２０を介して中継配線５０２と電気的に接続されているだけではなく、接続部Ｃ３及び導電体５２０を介しても中継配線５０２と電気的に接続されている。照明体において陽極配線を長く引き回すと、電圧降下による輝度ムラが懸念されるが、表示装置５０では、陽極配線５１１と中継配線５０２とが、照明基板１１１の一組の対辺（端辺Ｑ１及びＱ２）の各辺を跨ぐ各導電体（導電体５２０及び１２０）によって電気的に接続されているから、電圧降下が抑制され、上記の輝度ムラが低減される。
【００４７】
＜変形例＞
上述した各実施形態を適宜に組み合わせて表示装置を構成してもよい。ただし、発光素子の陽極１１２と陰極１１４との電位差が前述の適正範囲内（５〜１０［Ｖ］）に収まるように構成する必要がある。特に、一つの電源電位を表示体の電源および照明体の電源電位として兼用する場合には、照明体に供給可能な電源電位が限られるから、陽極と陰極との電位差が適正範囲（５〜１０［Ｖ］）に収まるように適切な組み合わせの電源電位を兼用する必要がある。適切な組み合わせとしては、共通電位Ｖcom（例えば７［Ｖ］）と接地電位Ｖss（例えば０［Ｖ］）との組み合わせの他に、データ信号の高電位ＶDD（例えば５［Ｖ］）と接地電位Ｖssとの組み合わせや、垂直走査信号の高電位ＶHH（例えば１５［Ｖ］）と共通電位Ｖcomとの組み合わせ、垂直走査信号の高電位ＶHHとデータ信号の高電位ＶDDとの組み合わせを例示可能である。
【００４８】
また、表示体に同一の電源電位が供給される複数の端子を設けてもよい。この場合、これらの端子の少なくとも二つと陽極または陰極とが電気的に接続されるように中継配線および導電体を設けてもよいし、これらの端子のいずれか一つと陽極または陰極とが電気的に接続されるように中継配線および導電体を設けてもよい。
【００４９】
また、ある接続部とある中継配線との間に照明基板が介在する一方、別の接続部と別の中継配線が導電体を挟んで互いに対向するようにしてもよい。また、銀ペースト以外の導電ペーストを用いて表示装置を製造してもよいし、銀以外の導電物質で導電体を形成してもよい。また、導電ペーストを用いずに表示装置を製造してもよい。また、必要な電源電位の数（種類）が３以上の装置を発光体として採用してもよい。また、備える発光素子の数が１の装置を発光体として採用してもよい。また、照明体における発光素子の封止方法として、封止基板を用いた缶封止以外の方法（例えば膜封止）を採用してもよい。
【００５０】
また、表示体として透過型液晶表示装置を用いてもよい。この場合の表示体は、図４に示す構造から反射層１０９を取り除いた構造となり、その表示基板１０１は、ガラスなどの光透過性の材料で形成される。また、供給される電気エネルギーに応じて入射光を制御する電気光学素子として、液晶素子ＬＣ以外の素子（例えば、液晶の厚み方向とは異なる方向に電圧が印加される液晶素子やディジタル・マイクロミラー・デバイス（ＤＭＤ）（登録商標））を採用してもよい。また、電源電極間に供給される電源を用いて発光する発光素子として、有機ＥＬ素子以外の発光素子（例えばＬＥＤ（Light Emitting Diode）やＬＤ（Laser Diode））を採用してもよい。
【００５１】
＜応用例＞
次に、本発明に係る表示装置を利用した電子機器について説明する。この説明では、本発明に係る表示装置を「表示装置６０」と記す。図１７は、表示装置６０を表示部として採用したモバイル型のパーソナルコンピューターの構成を示す斜視図である。パーソナルコンピューター２０００は、表示部としての表示装置６０と本体部２０１０とを備える。本体部２０１０には、電源スイッチ２００１およびキーボード２００２が設けられている。
図１８に、表示装置６０を適用した携帯電話機の構成を示す。携帯電話機３０００は、複数の操作ボタン３００１およびスクロールボタン３００２、ならびに表示部としての表示装置６０を備える。スクロールボタン３００２を操作することによって、表示装置６０に表示される画面がスクロールされる。
図１９に、表示装置６０を適用した携帯情報端末（ＰＤＡ：Personal Digital Assistants）の構成を示す。情報携帯端末４０００は、複数の操作ボタン４００１および電源スイッチ４００２、ならびに表示部としての表示装置６０を備える。
なお、本発明に係る表示装置が適用される電子機器としては、図１７から図１９に示したもののほか、テレビ、ポータブルメディアプレーヤー、デジタルスチルカメラ、ビデオカメラ、カーナビゲーション装置、電子手帳、電子ペーパー、電卓、ワードプロセッサ、ワークステーション、テレビ電話、スキャナ、複写機、ビデオプレーヤーなどが挙げられる。
【符号の説明】
【００５２】
Ｔ１，Ｔ２……端子、１００，２００，４００，５００……表示体、１０１……表示基板、１０２，１０３，２０２，４０３，５０２……中継配線、１１０，２１０，５１０……照明体、１１１……照明基板、１１２……陽極（電源電極）、１１４……陰極（電源電極）、１２０，１２１，３２０，３２１，５２０……導電体、Ｃ１〜Ｃ３……接続部、ＬＣ……反射型液晶素子、Ｐ１，Ｐ２……発光素子、Ｑ１，Ｑ２……端辺。
【図１】
2010210983.tif 000003
【図２】
2010210983.tif 000004
【図３】
2010210983.tif 000005
【図４】
2010210983.tif 000006
【図５】
2010210983.tif 000007
【図６】
2010210983.tif 000008
【図７】
2010210983.tif 000009
【図８】
2010210983.tif 000010
【図９】
2010210983.tif 000011
【図１０】
2010210983.tif 000012
【図１１】
2010210983.tif 000013
【図１２】
2010210983.tif 000014
【図１３】
2010210983.tif 000015
【図１４】
2010210983.tif 000016
【図１５】
2010210983.tif 000017
【図１６】
2010210983.tif 000018
【図１７】
2010210983.tif 000019
【図１８】
2010210983.tif 000020
【図１９】
2010210983.tif 000021